(57)【要約】    【課題】  貯蔵室を照らすランプから発生する熱でランプカバーが変形することを防ぎ、サービス性の向上に寄与する冷蔵庫を提供する。    【解決手段】  冷蔵室２の背面に庫内を照らすランプ１４と冷気通路とを備え、ランプ１４が樹脂製のランプカバー１３で覆われた冷蔵庫において、  ランプカバー１３とランプ１４との距離を１０〜２０ｍｍとするとともに、ランプカバー１３内の空間１６と冷蔵室２とを連通する連通口１９、１３ａをランプ１４より上方と下方に備えた。【選択図】  図２
2007071488.tif 000002
【特許請求の範囲】
【請求項１】
冷蔵室の背面に庫内を照らすランプと冷気通路とを備え、前記ランプが樹脂製のランプカバーで覆われた冷蔵庫において、
前記ランプカバーと前記ランプとの距離を１０〜２０ｍｍとするとともに、前記ランプカバー内の空間と前記冷蔵室とを連通する連通口を前記ランプより上方と下方に備えたことを特徴とする冷蔵庫。
【請求項２】
前記ランプカバーは前記冷蔵室の背面を構成する冷蔵室パネルに取り付けられ、前記ランプカバーと前記冷蔵室パネルとの間に作られる空間への冷気の入口を、前記ランプカバー着脱時の手掛け部とした請求項１記載の冷蔵庫。
【請求項３】
前記冷蔵室パネルは前記冷蔵庫の内箱を覆うように取り付けられるとともに、前記冷蔵室パネルの前記ランプよりも下方には前記冷蔵庫の内箱面を露出させる切欠き部を設けた請求項２記載の冷蔵庫。
【請求項４】
前記冷気通路は前記ランプカバーの両側に上下に延伸して設けられ、前記冷気通路から前記冷蔵室に吹き出される冷気を前記ランプカバーに向かって吹き出させるようにしたことを特徴とする請求項１乃至３のいずれかに記載の冷蔵庫。
【請求項５】
前記ランプカバーに設けられる爪部と、前記冷蔵室パネルに設けられる大径部と小径部とからなる係合穴とを備え、前記大径部は前記小径部よりも上方に位置するとともに、前記大径部の幅寸法を前記爪部の幅寸法より大きく設定し、かつ、前記小径部の幅寸法を前記爪部の幅寸法よりも小さく設定し、
前記小径部の弾性変形を利用して前記爪部を引き抜いて前記ランプカバーを取外し可能とした請求項４記載の冷蔵庫。
【発明の詳細な説明】
【技術分野】
【０００１】
本発明は庫内を照らすランプを備えた冷蔵庫に関する。
【背景技術】
【０００２】
庫内を照らすランプとこれを覆うランプカバーを有する従来例としては、特許文献１に示す例がある。これを図を用いて説明する。図１０は従来の冷蔵庫の庫内の構成を示す図である。
【０００３】
冷蔵庫本体５１内の冷凍室５２の前面開口部は扉５４によって閉塞され、扉５４が開いたときに庫内を照らすランプ６２を備えている。また、冷却器で冷却された冷気は送風機によって冷凍室５２内へと送られ、冷凍室５２内を所定の温度に冷却する。冷凍室５２内には冷気の吹出口６１を備えた冷凍室パネル６０が配設されており、この冷凍室パネル６０内に、冷凍室５２内を上方より照明するランプ６２が備えられている。ランプ６２の収納室６３は、冷凍室パネル６０に設けられ、ランプカバー６４によって覆われている。ランプカバー６４は、通常、透明又は半透明で、透光性を有する樹脂部材で作られている。
【０００４】
【特許文献１】特開平5-141864号
【発明の開示】
【発明が解決しようとする課題】
【０００５】
冷凍室や冷蔵室等の天井面にランプを設けた場合、食品が入っていないときは貯蔵室の全域を照らすことができるが、食品が収納されてしまうと、その食品が障害物となり、貯蔵室の全域を照らすことはできない。したがって、貯蔵室の背面側にランプを有する構成が採用されている。
【０００６】
ところで、ランプは、一般的に１０Ｗ〜１５Ｗ程度の明るさを有し、扉が開放されたときに庫内を照らすべく点灯する。扉が開かれた状態においては、冷気循環が中断される場合が多く、扉が長時間開かれたままにしておくと、ランプ収納室内の温度が高くなりランプカバー６４等が異常に加熱されてしまうという問題が生ずる。特に、冷蔵庫の据付時等のように、周囲部品が冷却されていないときには、ランプの発熱によって周囲が高い温度になりやすいため、この問題が生じやすい。
【０００７】
また、冷蔵庫据付時のように周囲部品が冷えていない場合は、庫内に食品が収納されていないことから、冷蔵庫の使用者も扉の開放に無頓着となりやすく、扉の開いた状態が長時間継続すると（例えば５分間）、ランプの熱でランプカバーが変形してしまう。
【０００８】
従来の冷蔵庫においては、ランプカバーの変形を防止するために、ランプカバーに熱を逃がすためのスリットを設けたものもあるが、スリットを設けると、そのスリットより入る湿気がランプソケットに侵入し、扉を閉めた状態で結露しやすく、電気的な対策が必要となってしまう。
【０００９】
これは、図１０のようにランプ収納室が比較的小さい場合に特に生じやすく、ランプ収納室に入った湿気がすぐにランプソケット等に到達してしまうことにも起因していた。
【００１０】
さらに、ランプカバーは、樹脂製部材によって作られているため、冷蔵庫パネルとの間を係合によって固定されていた。この係合は、樹脂製の爪部と穴部とを利用してなされている場合が多く、爪の弾性変形を利用していた。したがって、この係合を無理に外すと爪部が折れてしまう等の問題があった。
【００１１】
本発明は上記課題に鑑みてなされたものであり、貯蔵室を照らすランプから発生する熱でランプカバーが変形することを防ぎ、サービス性の向上に寄与する冷蔵庫を提供することを目的としている。
【課題を解決するための手段】
【００１２】
上記目的を達成するために、冷蔵室の背面に庫内を照らすランプと冷気通路とを備え、前記ランプが樹脂製のランプカバーで覆われた冷蔵庫において、本発明は、
前記ランプカバーと前記ランプとの距離を１０〜２０ｍｍとするとともに、前記ランプカバー内の空間と前記冷蔵室とを連通する連通口を前記ランプより上方と下方に備えた。
【００１３】
また、上記の構成を有する冷蔵庫において、前記ランプカバーは前記冷蔵室の背面を構成する冷蔵室パネルに取り付けられ、前記ランプカバーと前記冷蔵室パネルとの間に作られる空間への冷気の入口を、前記ランプカバー着脱時の手掛け部とした。
【００１４】
また、上記の構成を有する冷蔵庫において、前記冷蔵室パネルは前記冷蔵庫の内箱を覆うように取り付けられるとともに、前記冷蔵室パネルの前記ランプよりも下方には前記冷蔵庫の内箱面を露出させる切欠き部を設けた。
【００１５】
また、上記のいずれかの構成を備えた冷蔵庫において、前記冷気通路は前記ランプカバーの両側に上下に延伸して設けられ、前記冷気通路から前記冷蔵室に吹き出される冷気を前記ランプカバーに向かって吹き出させるようにしたこと。
【００１６】
また、上記の構成を備えた構成を備えた冷蔵庫において、前記ランプカバーに設けられる爪部と、前記冷蔵室パネルに設けられる大径部と小径部とからなる係合穴とを備え、前記大径部は前記小径部よりも上方に位置するとともに、前記大径部の幅寸法を前記爪部の幅寸法より大きく設定し、かつ、前記小径部の幅寸法を前記爪部の幅寸法よりも小さく設定し、
前記小径部の弾性変形を利用して前記爪部を引き抜いて前記ランプカバーを取外し可能とした。
【発明の効果】
【００１７】
本発明によれば、貯蔵室を照らすランプから発生する熱でランプカバーが変形することを防ぎ、サービス性の向上に寄与する冷蔵庫を提供することができる。
【発明を実施するための最良の形態】
【００１８】
以下、本発明の実施の形態を図１〜図９を用いて説明する。
図１は本発明の一例を示す冷蔵庫の正面図である。
【００１９】
冷蔵庫本体１は、上から冷蔵室、冷凍室及び野菜室を備えており、これらの各室は前面開口部をそれぞれ冷蔵室扉５、冷凍室扉６及び野菜室扉７によって閉塞されている。これらの扉のうち、冷凍室扉６及び野菜室扉７は引出式の扉であり、冷蔵室扉５は扉の一側に取り付けられたヒンジ等により回動自在に取り付けられる回転式の扉としている。
【００２０】
図２は本実施例の冷蔵庫の要部を示す縦断面図であり、図３は本実施例の冷蔵庫の要部を示す正面図である。
【００２１】
冷凍室の背部には冷却器室８を備え、この冷却器室８内には冷却器１０が配設されている。冷却器１０の下方には除霜用ヒータ９が、上方には送風機１１がそれぞれ設けられている。冷凍室３と冷却器室８との間は仕切板１８によって仕切られる。冷却器１０で冷却された冷気は、送風機１１によって、冷凍室３だけではなく、冷蔵室２及び野菜室４にも送られ、各室を所定温度に冷却している。
【００２２】
冷蔵室２の背面には、冷蔵室パネル１２が取り付けられる。この冷蔵室パネル１２は、冷蔵室２の背壁に重ね合わされるように配設され、冷蔵室２背面の両側部に冷気通路を有している。本実施例の冷蔵室パネル１２は冷蔵室２の背壁を構成する内箱２ａ面の上から下まで一杯にわたって覆うように取り付けられる。また、冷蔵室パネル１２によって冷蔵室２の背部には冷気通路１２ａが形成され、この冷気通路１２ａは冷蔵室２の背面部を上下に延伸している。
【００２３】
冷蔵室パネル１２の前面側（冷蔵室２側）で、冷気通路１２ａを除いた位置にはランプカバー１３が取り付けられる。ランプカバー１３で覆われた空間１６内には庫内ランプ１４が取り付けられる。この庫内ランプ１４は、１０〜１５Ｗ程度の明るさを持つライトであり、ソケット１５に捩じ込み式あるいは差し込み式等によって取り付けられている。そして、冷蔵室扉５が開いたときには、図示しないセンサーによって扉の開状態が検知されて、庫内ランプ１４が点灯する。その際、通常の運転時においては、庫内ランプ１４が点灯している場合には送風機１１の運転は止められるように制御される。
【００２４】
冷蔵室２内には複数段に設けられる棚部材１７が取り付けられる。この棚部材１７に冷蔵食品が載置される。ランプカバー１３は、この棚部材を数段にわたって照射するように上下に延伸しているとともに、半透明又は透明の樹脂製部材が用いられている。ランプカバー１３としては、例えば、半透明の乳白色を呈し、透光性を有する部材が用いられる。
【００２５】
また、ランプカバー１３は着脱可能に取り付けられており、下端には手掛け用の切欠部１３ａを有している。したがって、ランプカバー１３を取り外す場合には、この手掛け部１３ａに手を掛け、後述するように庫内パネル１２との係合を解除する。
【００２６】
また、手掛け部１３ａは空間１６と連通する開口となっており、この手掛け部１３ａの開口を介して冷蔵室２内の冷気が自然対流で空間１６内に入る。この空間１６内に入った冷気はランプカバー１３内を上昇し、ランプカバー１３の上部に形成される隙間１９より吹き出される。すなわち、本実施例の冷蔵庫は、手掛け部１３ａと隙間１９とを備え、庫内ランプ１４が取り付けられる空間１６と下方及び上方に連通する開口を有する構成としている。
【００２７】
次に図３〜図５を用いて、冷蔵室２内への冷気供給、庫内ランプ１４とランプカバー１３の関係について説明する。図４は図３のＡ−Ａ断面図であり、図５は図３のＢ−Ｂ断面図である。
【００２８】
冷蔵室２への冷気供給は、図にも示す如く冷蔵室パネル１２と内箱２ａとの間に作られた冷気通路１２ａを通して行われる。この冷気通路１２ａは、送風機１１が送り出す冷気を冷蔵室２に送り込むための冷気ダクトに連結されている。そして、この冷気通路１２ａに送り込まれた冷気は、吹出口１２ｂより冷蔵室２側に吹き出される。
【００２９】
図からも明らかなように、冷気通路１２ａは庫内ランプ１４が取り付けられる空間１６の両側を上下に延伸して設けられており、冷気通路１２ａと冷蔵室２とを連通する吹出口１２ｂを備えている。吹出口１２ｂはランプカバー１３側に開口しており、吹出口１２ｂより吹き出された冷気はランプカバー１３に沿って吹き出される。
【００３０】
ランプカバー１３に沿って流れた冷気は、図４、図５の矢印で示す如くランプカバー１３の中央付近でぶつかり合い、方向を変えて冷蔵室２前方に流れ、冷蔵室２全体を中央より冷却するものである。
【００３１】
次に、ランプカバー１３と庫内ランプ１４との関係を説明する。本実施例のランプカバー１３は、冷気通路１２ａを除いて冷蔵室２のほぼ全幅にわたって取り付けられ、高さ方向では、冷蔵室２内に複数段設けられた棚部材１７の間に庫内ランプ１４の光を照射することができる寸法としている。さらには、このランプカバー１３は、例えば、表面に横ストライプの模様が設けられ、冷蔵室２の背部を幅広で且つフラット感を与えている。
【００３２】
また、このランプカバー１３には、庫内ランプ１４周囲の加熱された空気を逃がすためのスリット（従来例で説明したスリット）は設けられていない。
【００３３】
庫内ランプ１４は、図に示す如く、ランプカバー１３の上方側に位置し、かつ、複数段の棚部材１７に光を当てるために上下に延びた空間１６を覆うようにランプカバー１３が上下に延伸している。一方、ランプカバー１３の上端と冷蔵室パネル１２（または内箱）との間の隙間１９、及び手掛け部１３ａとなる空気取入口からはともに離れた位置に庫内ランプ１４が設けられている。したがって、庫内ランプ１４が点灯すると、光は空間１６を通してランプカバー１３の全面から冷蔵室２内を照明し、複数段ある棚部材１７の間を照らすことができる。
【００３４】
ランプカバー１３のうち、庫内ランプ１４との対向部は冷蔵室２側に膨らんでおり、空間１６の奥行寸法は、庫内ランプ１４付近で拡大するよう前側に膨出させている。すなわち、ランプカバー１３は、縦断面形状は図２に示すように庫内ランプ１４の対向部を冷蔵室２側に膨らませ、横断面形状は図４に示すように冷気吹出口１２ｂからの冷気が冷蔵室２側に案内されるように冷蔵室２側に膨らませて、空間１６を拡大している。本実施例では、庫内ランプ１４とランプカバー１３との間の距離を１０ｍｍ〜２０ｍｍになるようにしている。
【００３５】
次に図６及び図７を用いて庫内ランプ１４とランプカバー１３との間の距離Ｌ１寸法を変えたときのランプカバー１３温度の測定結果について説明する。図６は庫内ランプとランプカバーとの位置関係を示す要部説明図であり、図７はＬ１寸法を変化させたときのランプカバーの温度測定図である。
【００３６】
なお、図７に示す温度測定結果は、冷蔵庫の据付時を考慮し、冷蔵庫が冷えていない状況下で測定したものである。さらに、本測定に使用した冷蔵庫は、４２０Ｌクラスの幅６５ｃｍ×奥行６２ｃｍ×高さ１８２ｃｍの冷蔵庫であり、１００Ｖ１５Ｗの庫内ランプを使用した。
【００３７】
図６に示すＬ１寸法を、図７に示すように５ｍｍから２０ｍｍまで変化させたが、Ｌ１寸法が２０ｍｍを超えてしまうと、冷蔵室２内の実収納容積が低下してしまい、室内の有効活用が図れないことから、上限を２０ｍｍとした。また、庫内ランプ１４の点灯時間は扉の開いた状態の時間の最大と考えられる時間として、５分を設定した。
【００３８】
この条件下で、庫内ランプ１４を５分間、点灯し続けると庫内ランプ１４の表面温度は２００〜３００℃となる。Ｌ１寸法が５ｍｍの時は、ランプカバー１３の温度は１５０℃となり、スチロール樹脂の軟化点温度を通り越してしまうことが判る。したがって、スチロール樹脂は、樹脂製のランプカバー１３の材質としてよく用いられるが、Ｌ１寸法を５ｍｍとすると変形が生じてしまう。
【００３９】
そして、Ｌ１寸法を１０ｍｍ〜２０ｍｍとすると、スチロール樹脂の軟化点温度以下となることがわかった。したがって、本実施例では、Ｌ1寸法を１０ｍｍ〜２０ｍｍの範囲で確保できる膨出部１３ｂをランプカバー１３に形成することとした。
【００４０】
以上の結果は、Ｌ１寸法をただ単に１０ｍｍ〜２０ｍｍ確保することにより得られるものでなく、加熱した庫内ランプ１４が引き起こす煙突作用により達成されるものである。すなわち、庫内ランプ１４の発熱とともに、空間１６には煙突作用による自然対流が発生する。この自然対流により流れる空気（冷気）により、庫内ランプ１４及びランプカバー１３が冷却され、ランプカバー１３の温度が維持される。
【００４１】
以下、このランプカバー１３の温度が上昇しすぎないための構成について説明する。庫内ランプ１４の近くに設けられている隙間１９からは、空間１６を流れる空気（庫内ランプ１４によって少し暖められた冷気）が吹き出されるため、湿気を含む戸外の空気の侵入を防ぐことができる。特に本実施例では、隙間１９を庫内ランプ１３よりも上方に設けているため、湿気が入り込むことがない。
【００４２】
また、空気（冷気）の通路となる空間１６への戸外の空気侵入は、手掛け用の切欠き部１３ａを通して行われる。したがって、空気中に含まれる湿気は、ランプソケット１５部にまで至ることなく、その途中でランプカバー１３若しくは冷蔵室パネル１２で結露し、庫内ランプ１４の位置まで空気が至る前に失われる。
【００４３】
さらに説明するならば、冷蔵庫の通常運転時においては、扉を開くと、庫内ランプ１４及びランプカバー１４が設置された空間１６に侵入する空気（戸外の湿気を持った空気）は、手掛け用の切欠き部１３ａより入ることになる。この湿気を持った空気は、庫内ランプ１４（ソケット含む）に到達せず、それ以前に結露することによっていわば除湿されるということである。
【００４４】
特に、本実施例では、空間１６の背面側を形成する冷蔵室パネル１２に切欠き部２０を有している。また、この切欠き部２０は庫内ランプ１４よりも下方に位置している。したがって、切欠き部２０によって、空間１６に内箱２ａ面が露出した構造となっている。内箱面２ａは、冷却器室とも連続していて、冷蔵庫運転時には非常に冷えており、かつ、重量も大きいため熱容量も大きく、庫内ランプ１４によって空間１６が多少暖められても内箱面２ａの温度の上昇は極めて小さく抑えられる。
【００４５】
したがって、よく冷却された切欠窓２０（対向部）の内箱等で結露し、庫内ランプ１４及びソケット１５部は結露しない。
【００４６】
また、冷気通路１２ａの吹出口１２ｂより吹き出される冷気により扉を開いた際にランプカバー１３に露が発生していたとしても、吹出口１２ｂより吹き出される冷気が露を気化するので、いつまでもランプカバー１３が露に邪魔され、ランプカバー本来の役目を果さないということはない。
【００４７】
このように、本実施例のランプカバー１３は、図２〜図５にも示すように、庫内ランプ１４の周縁に当たる対向部が冷蔵室２側に膨出し、庫内ランプ１４との距離として１０〜２０ｍｍを確保している。これは、ランプカバー１３が高温となることを抑えるとともに、庫内ランプ１４からの光を冷蔵室２の広範囲までに行きわたらせる形状として効果がある。
【００４８】
また、図２に示したように、ランプカバー１３を縦断面で見たときには、庫内ランプ１４に近づくに従い、Ｌ1寸法（図６）が拡大し、横断面で見たときには、庫内ランプ１４の周縁が冷蔵室２側に膨らむように太鼓状に形成している。
【００４９】
このことにより、Ｌ1寸法が確保されたことによって、庫内ランプ１４とランプカバー１３との距離の効果もさることながら、空間１６が拡大され、空間１６内を冷気が流れる場合にその抵抗を減らし、庫内ランプ１４が点灯したときの過剰な温度上昇を防止することができる。
【００５０】
また、庫内ランプ１４から冷蔵室２への光の分散に関しても、拡大した通路となった空間１６を通し、効率よく行うことができる。
【００５１】
次に、図８及び図９を用いて、ランプカバー１３の冷蔵室パネル１２への取付け構造について説明する。図８は冷蔵室パネル１２にランプカバー１３を取り付けた状態における係合関係を示す図であり、図９は図８のＣ−Ｃ断面図である。
【００５２】
ランプカバー１３は冷蔵室パネル１２に係合によって取り付けられる。冷蔵室パネル１２側には係止部として穴部が設けられ、ランプカバー１３には爪部が設けられる。この穴部に爪部が係合することでランプカバー１３が冷蔵室パネル１２に取り付けられる構造となっている。
【００５３】
穴部を構成する冷蔵室パネル１２側の係合穴１２Ｃは、大径部と小径部とからなっている。また、大径部の幅寸法は小径部の幅寸法よりも大きくなっている。また、ランプカバー１３には爪部１３Ｃが設けられ、この爪部１３Ｃの幅寸法は、大径部よりも小さく、かつ小径部よりも大きな寸法に設定されている。また、大径部と小径部はつながって設けられ、本実施例では、大径部の下側に小径部が設けられる。さらに説明するならば、爪部１３Ｃは、ランプカバー１３奥側から突出する凸部の先に爪形状部を備えた構造となっており、爪部１３Ｃの幅寸法は、この爪形状部の幅寸法を示している。なお、爪形状部を除く爪部１３Ｃの幅寸法は、小径部よりもさらに小さい寸法に設定してある。
【００５４】
このような構成において、冷蔵室パネル１２にランプカバー１３を取り付ける場合には、まず、ランプカバー１３の爪部１３Ｃを係合穴１２Ｃの大径部内に挿入する。両者の寸法関係は上述のように大径部の方が大きく設定されているために、大きな抵抗を受けることなく挿入が可能である。
【００５５】
大径部に挿入された爪部１３Ｃは、係合穴１２Ｃ内部に収められる。この状態でランプカバー１３を冷蔵室パネル１２に対して下側にずらし、爪部１３Ｃが小径部側に移動させられることで取付けが完了する。このとき、小径部の幅寸法は爪部１３Ｃの幅寸法よりも小さいため、両者が係合し、通常の使用態様でランプカバー１３が落下することはない。なお、爪部１３Ｃが衝撃等によって大径部に移動しないように、小径部と大径部との間にテーパ形状等のような逆行防止手段を設けてもよい。
【００５６】
一方、冷蔵室パネル１２からランプカバー１３を取り外す場合には、上記の取り付けの逆の作業を行ってもよいが、逆行防止手段を設けた場合には取外しが困難であるので、図９の破線で示したように、冷蔵室パネル１２の弾性を利用して小径部の開口を拡大させて取り外せばよい。
【００５７】
従来のように、単純に押し込み及び引っ張りによって係合及び係合解除を行うと、爪部の損傷や穴開口周縁の変形等が発生する場合があった。引っ張りによる係合解除の場合には、損傷しても目視によって確認が可能である。しかし、押し込みによって係合させて取り付ける場合には、取り付けられた係合穴の内部で部品が脱落してもこれを確認することができないという問題があった。
【００５８】
係合が一部脱落したままで冷蔵庫を使用すると、ガタが生じやすく、圧縮機等の冷凍サイクルの運転時の微小な振動によって騒音となる場合があった。
【００５９】
爪部１３Ｃの先端は、小径部の開口より当然大きいが、この小径部を形成する冷蔵室パネル１２が図９に破線で示した如く、自身の持つ弾力性を利用して爪部１３Ｃの移動に伴って変形し、小径部の開口を広げることで、無理抜きが可能な範囲内となる。すなわち、小径部の開口を広げる爪部１３Ｃを備えた構成とした。
【００６０】
このような構成と摺ることで、庫内ランプ１４交換時には、サービスマンは少し力を入れて、ランプカバー１３を引っ張れば爪部１３Ｃを損傷することなくランプカバー１３を取り外すことができる。また、取付けの際にもランプカバー１３の爪部１３Ｃを破損させることなく係合させることができ、上記の課題を解決することができる。
【００６１】
以上説明したように、本実施例は、冷蔵室背壁の両側の角部近くに設けた冷気通路を除いて、ほぼ全面に、且つ、棚の複数段に照明するようにしたランプカバーを備え、このランプカバーを半透明でかつ透光性のある樹脂板としている。また、庫内ランプに対向するランプカバー部を、部分的に冷蔵室内側に１０〜２０ｍｍ膨出させ、ランプカバーと冷蔵室パネルとの間に作られる空間の上下に冷気の入口と出口部を設けたものであるから、貯蔵室の幅一杯に、また、複数段にわたって庫内ランプで照らすことができる。また、発熱でランプカバー等を損傷することがなく、庫内ランプ、ランプソケットに結露を生じさせることもなく、電気的な危険をもたらすことがない。
【００６２】
また、ランプカバーと冷蔵室パネルとの間に作られる空間への冷気の入口をランプカバー着脱時の把手部として利用したので、この把手部がランプ発熱時の空気取入口となり空間を流れる冷蔵室冷気はランプの冷却効果を奏するため、ランプカバーの変形等を抑制することができる。
【００６３】
また、冷蔵室パネルに切欠き部を設け、ランプカバーと冷蔵室パネルとの間を流れる冷気を内箱面に沿って流すようにしたものであるから、空間内に入る冷気は熱容量をもつ内箱に直接的に接し、この内箱と熱交換される構成となる。したがって、庫内ランプの冷却に寄与する構造とすることができる。また、空間に侵入した冷気中の湿気は、この露出した内箱と熱交換して、この内箱面に結露するので、庫内ランプあるいはランプソケットにまで至ることはない。
【００６４】
また、冷蔵室背壁の両側角部に設けた冷気通路よりランプカバー面に向かって冷気を吹き出せるようにしたものであるから、ランプカバー表面に結露した霜があったとしてもこの表面を流れる冷気により昇華することができる。
【００６５】
また、ランプカバーの取付けのための爪部は、冷蔵室パネル側に設けた係合穴の大径部を利用して取り付け、一方、取外しのときには弾性変形を利用して拡大された係合穴の小径部より爪部を引き抜くようにしたので、ランプカバーの取付け取外し時に、係合部を損傷してしまうことを防ぐことができる。
【図面の簡単な説明】
【００６６】
【図１】本発明の一例を示す冷蔵庫の正面図。
【図２】本実施例の冷蔵庫の要部を示す縦断面図。
【図３】本実施例の冷蔵庫の要部を示す正面図。
【図４】図３のＡ−Ａ断面図。
【図５】図３のＢ−Ｂ断面図。
【図６】庫内ランプとランプカバーとの位置関係を示す要部説明図。
【図７】図６のＬ１寸法を変化させたときのランプカバーの温度測定図。
【図８】冷蔵室パネルにランプカバ−を取り付けた図である。
【図９】図８のＣ−Ｃ断面図。
【図１０】従来の冷蔵庫の庫内の構成を示す図。
【符号の説明】
【００６７】
１…冷蔵庫本体、２…冷蔵室、２ａ…内箱、３…冷凍室、４…野菜室、５…冷蔵室扉、６…冷凍室扉、７…野菜室扉、８…冷却器室、９…除霜用ヒータ、１０…冷却器、１１…送風機、１２…冷蔵室パネル、１２ａ…冷気通路、１２ｂ…吹出口、１３…ランプカバー、１３ａ…手掛け部、１３ｂ…膨出部、１４…ランプ、１５…ソケット、１６…空間、１７…棚部材、１８…仕切板、１９…隙間、２０…切欠き部。
【図１】
2007071488.tif 000003
【図２】
2007071488.tif 000004
【図３】
2007071488.tif 000005
【図４】
2007071488.tif 000006
【図５】
2007071488.tif 000007
【図６】
2007071488.tif 000008
【図７】
2007071488.tif 000009
【図８】
2007071488.tif 000010
【図９】
2007071488.tif 000011
【図１０】
2007071488.tif 000012